(57)【要約】【課題】接続部の機械的強度が高く振動環境下で安定した接続が得られ、かつ低コストな同軸ケーブルの接続構造およびアンテナ装置を提供する。【解決手段】同軸ケーブル２の先端部が固定され、外部導体５と電気的に接続されるケーブル固定部１３と、２枚のグランド板１０，１１の間隔と同じ高さに形成され、２枚のグランド板１０，１１間に配置され２枚のグランド板１０，１１にネジ止め固定され電気的に接続されるグランド板固定部１４と、を一体に形成した導電性の部材からなる接続ブロック１２を備え、同軸ケーブル２の先端部をケーブル固定部１３に固定すると共に、グランド板固定部１４を２枚のグランド板１０，１１間に配置してネジ止め固定することで、外部導体５を接続ブロック１２を介して２枚のグランド板１０，１１に電気的に接続するように構成しものである。【選択図】図１
2014225776.tif 000002
【特許請求の範囲】
【請求項１】
中心導体の外周に絶縁体と外部導体を順次設けた同軸ケーブルを、
中心導体板を空気層を介して２枚のグランド板で挟み込んで構成されるトリプレート線路に接続する際の接続構造であって、
前記同軸ケーブルの先端部が固定され、前記外部導体と電気的に接続されるケーブル固定部と、前記２枚のグランド板の間隔と同じ高さに形成され、前記２枚のグランド板間に配置され前記２枚のグランド板にネジ止め固定されることで、前記グランド板に電気的に接続されるグランド板固定部と、を一体に形成した導電性の部材からなる接続ブロックを備え、
前記同軸ケーブルの先端部を前記ケーブル固定部に固定すると共に、前記グランド板固定部を前記２枚のグランド板間に配置して前記２枚のグランド板にネジ止め固定することで、前記外部導体を前記接続ブロックを介して前記２枚のグランド板に電気的に接続するように構成した
ことを特徴とする同軸ケーブルの接続構造。
【請求項２】
前記接続ブロックの前記グランド板と接触するグランド接触面には、前記グランド板との接触面積を減らすために凹凸が形成されている
請求項１記載の同軸ケーブルの接続構造。
【請求項３】
前記グランド接触面が長方形であり、その短辺方向の中央部に長辺方向に沿って凹溝を形成することで、前記凹凸が形成されている
請求項２記載の同軸ケーブルの接続構造。
【請求項４】
前記接続ブロックには、前記２枚のグランド板のいずれか一方に前記接続ブロックを固定するための仮止め部が設けられている
請求項１〜３いずれかに記載の同軸ケーブルの接続構造。
【請求項５】
前記グランド板は、アルミニウムからなる
請求項１〜４いずれかに記載の同軸ケーブルの接続構造。
【請求項６】
前記ケーブル固定部は、前記２枚のグランド板の間隔よりも高く形成され、
前記２枚のグランド板の一方に、前記ケーブル固定部を避ける接続ブロック配置用切欠きを形成した
請求項１〜５いずれかに記載の同軸ケーブルの接続構造。
【請求項７】
前記同軸ケーブルの前記中心導体は、前記トリプレート線路の前記中心導体板の一方の面に半田固定されることで、前記中心導体板と電気的に接続され、
前記中心導体と前記中心導体板の半田固定部分と対向する前記グランド板に、前記接続ブロック配置用切欠きと連通する調整用切欠きが形成されている
請求項６記載の同軸ケーブルの接続構造。
【請求項８】
前記ケーブル固定部は、前記グランド板固定部と同じ高さに形成され、前記グランド板固定部と共に前記２枚のグランド板に接触するように構成される
請求項１〜５いずれかに記載の同軸ケーブルの接続構造。
【請求項９】
前記接続ブロックを前記グランド板に固定するネジ止め箇所が２箇所以上である
請求項１〜８いずれかに記載の同軸ケーブルの接続構造。
【請求項１０】
中心導体の外周に絶縁体と外部導体を順次設けた同軸ケーブルを、
給電線路となる中心導体板を空気層を介して２枚のグランド板で挟み込んで構成されるトリプレート線路に接続したアンテナ装置であって、
前記同軸ケーブルの先端部が固定され、前記外部導体と電気的に接続されるケーブル固定部と、前記２枚のグランド板の間隔と同じ高さに形成され、前記２枚のグランド板間に配置され前記２枚のグランド板にネジ止め固定されることで、前記グランド板に電気的に接続されるグランド板固定部と、を一体に形成した導電性の部材からなる接続ブロックを備え、
前記同軸ケーブルの先端部を前記ケーブル固定部に固定すると共に、前記グランド板固定部を前記２枚のグランド板間に配置して前記２枚のグランド板にネジ止め固定することで、前記外部導体を前記接続ブロックを介して前記２枚のグランド板に電気的に接続するように構成した
ことを特徴とするアンテナ装置。
【発明の詳細な説明】
【技術分野】
【０００１】
本発明は、同軸ケーブルの接続構造およびアンテナ装置に関するものである。
【背景技術】
【０００２】
従来のアンテナ装置として、給電線路にマイクロストリップ線路を用いたものが一般的に知られている。しかし、給電線路にマイクロストリップ線路を用いた場合、給電線路における損失が大きくなってしまうという問題があった。
【０００３】
給電線路における損失を抑制するために、給電線路に同軸ケーブルを用いたアンテナ装置も提案されているが、アンテナ素子の数が多くなると配線が複雑になってしまうという問題があった。
【０００４】
そこで、給電線路における損失を抑制し、かつ構造を簡単にすることが可能なアンテナ装置として、給電線路となる中心導体板を２枚のグランド板で挟み込んで構成されるトリプレート線路を用いたアンテナ装置が開発されている。
【先行技術文献】
【特許文献】
【０００５】
【特許文献１】特開２００３−２５８４０３号公報
【発明の概要】
【発明が解決しようとする課題】
【０００６】
ところで、基地局アンテナとして使用されるアンテナ装置では、風などによる振動の影響を受けるため、同軸ケーブルをトリプレート線路に接続する接続部においても、振動環境下で安定した接続を得られる機械的強度が要求される。
【０００７】
特許文献１には、半田付けにより同軸ケーブルを固定する方法が提案されているが、半田付けのみで固定を行った場合、接続部にて十分な機械的強度が得られず、振動環境下で安定した接続を得ることは困難である。また、トリプレート線路に用いるグランド板がアルミニウムなどの半田付けが困難な部材からなる場合には、適用が困難であるという問題もある。
【０００８】
なお、接続部に耐振動性の高い同軸ケーブルコネクタなどを設けることも考えられるが、この場合、コストが高くなってしまう。
【０００９】
そこで、本発明の目的は、上記課題を解決し、接続部の機械的強度が高く振動環境下で安定した接続が得られ、かつ低コストな同軸ケーブルの接続構造およびアンテナ装置を提供することにある。
【課題を解決するための手段】
【００１０】
本発明は上記目的を達成するために創案されたものであり、中心導体の外周に絶縁体と外部導体を順次設けた同軸ケーブルを、中心導体板を空気層を介して２枚のグランド板で挟み込んで構成されるトリプレート線路に接続する際の接続構造であって、前記同軸ケーブルの先端部が固定され、前記外部導体と電気的に接続されるケーブル固定部と、前記２枚のグランド板の間隔と同じ高さに形成され、前記２枚のグランド板間に配置され前記２枚のグランド板にネジ止め固定されることで、前記グランド板に電気的に接続されるグランド板固定部と、を一体に形成した導電性の部材からなる接続ブロックを備え、前記同軸ケーブルの先端部を前記ケーブル固定部に固定すると共に、前記グランド板固定部を前記２枚のグランド板間に配置して前記２枚のグランド板にネジ止め固定することで、前記外部導体を前記接続ブロックを介して前記２枚のグランド板に電気的に接続するように構成した同軸ケーブルの接続構造である。
【００１１】
前記接続ブロックの前記グランド板と接触するグランド接触面には、前記グランド板との接触面積を減らすために凹凸が形成されていてもよい。
【００１２】
前記グランド接触面が長方形であり、その短辺方向の中央部に長辺方向に沿って凹溝を形成することで、前記凹凸が形成されていてもよい。
【００１３】
前記接続ブロックには、前記２枚のグランド板のいずれか一方に前記接続ブロックを固定するための仮止め部が設けられていてもよい。
【００１４】
前記グランド板は、アルミニウムからなってもよい。
【００１５】
前記ケーブル固定部は、前記２枚のグランド板の間隔よりも高く形成され、前記２枚のグランド板の一方に、前記ケーブル固定部を避ける接続ブロック配置用切欠きを形成してもよい。
【００１６】
前記同軸ケーブルの前記中心導体は、前記トリプレート線路の前記中心導体板の一方の面に半田固定されることで、前記中心導体板と電気的に接続され、前記中心導体と前記中心導体板の半田固定部分と対向する前記グランド板に、前記接続ブロック配置用切欠きと連通する調整用切欠きが形成されていてもよい。
【００１７】
前記ケーブル固定部は、前記グランド板固定部と同じ高さに形成され、前記グランド板固定部と共に前記２枚のグランド板に接触するように構成されてもよい。
【００１８】
前記接続ブロックを前記グランド板に固定するネジ止め箇所が２箇所以上であってもよい。
【００１９】
また、本発明は、中心導体の外周に絶縁体と外部導体を順次設けた同軸ケーブルを、給電線路となる中心導体板を空気層を介して２枚のグランド板で挟み込んで構成されるトリプレート線路に接続したアンテナ装置であって、前記同軸ケーブルの先端部が固定され、前記外部導体と電気的に接続されるケーブル固定部と、前記２枚のグランド板の間隔と同じ高さに形成され、前記２枚のグランド板間に配置され前記２枚のグランド板にネジ止め固定されることで、前記グランド板に電気的に接続されるグランド板固定部と、を一体に形成した導電性の部材からなる接続ブロックを備え、前記同軸ケーブルの先端部を前記ケーブル固定部に固定すると共に、前記グランド板固定部を前記２枚のグランド板間に配置して前記２枚のグランド板にネジ止め固定することで、前記外部導体を前記接続ブロックを介して前記２枚のグランド板に電気的に接続するように構成したアンテナ装置である。
【発明の効果】
【００２０】
本発明によれば、接続部の機械的強度が高く振動環境下で安定した接続が得られ、かつ低コストな同軸ケーブルの接続構造およびアンテナ装置を提供できる。
【図面の簡単な説明】
【００２１】
【図１】本発明の一実施の形態に係る同軸ケーブルの接続構造を示す図であり、（ａ）は横断面図、（ｂ）は側面図、（ｃ）は平面図である。
【図２】図１の同軸ケーブルの接続構造に用いる接続ブロックを示す図であり、（ａ）は斜視図、（ｂ）は正面図、（ｃ）は各部の寸法を示す図である。
【図３】本発明の一実施の形態に係るアンテナ装置の斜視図および要部拡大図である。
【図４】図３のアンテナ装置の他の方向から見た斜視図である。
【図５】図３のアンテナ装置のＶＳＷＲ特性を示すグラフ図である。
【図６】（ａ），（ｂ）は、本発明における接続ブロックの変形例を示す正面図である。
【発明を実施するための形態】
【００２２】
以下、本発明の実施の形態を添付図面にしたがって説明する。
【００２３】
図１は、本実施の形態に係る同軸ケーブルの接続構造を示す図であり、（ａ）は横断面図、（ｂ）は側面図、（ｃ）は平面図である。
【００２４】
図１（ａ）〜（ｃ）に示すように、同軸ケーブルの接続構造１は、同軸ケーブル２をトリプレート線路７に接続する際の接続構造である。
【００２５】
同軸ケーブル２は、中心導体３の外周に絶縁体４、外部導体５、シース６を順次設けて構成される。ここでは、外部導体５の外径が約６ｍｍ（５Ｄ）の同軸ケーブル２を用いた。
【００２６】
トリプレート線路７は、中心導体板８を空気層９を介して２枚のグランド板１０，１１で挟み込んで構成される。つまり、トリプレート線路７は、グランド板１０と、中心導体板８と、グランド板１１とを、所定の間隔で離間して配置して構成される。グランド板１０，１１としては、軽量かつ低コストで耐候性に優れるアルミニウムからなるものを用いる。ここでは、２枚のグランド板１０，１１の間隔を５ｍｍとした。
【００２７】
本実施の形態に係る同軸ケーブルの接続構造１では、導電性の部材からなる接続ブロック１２を備え、この接続ブロック１２を介して、同軸ケーブル２をグランド板１０，１１に固定すると共に、同軸ケーブル２の外部導体５とトリプレート線路７の２枚のグランド板１０，１１とを電気的に接続するように構成されている。
【００２８】
接続ブロック１２としては、金属からなるものを用いるとよく、望ましくは、耐候性が高く（錆びにくく）、導電率が高く、低コストで半田付けが可能な材料からなるものを用いるとよい。本実施の形態では、接続ブロック１２に用いる材料として、上述の条件を満たす黄銅を用いた。
【００２９】
図１および図２に示すように、接続ブロック１２は、同軸ケーブル２の先端部が固定され、外部導体５と電気的に接続されるケーブル固定部１３と、２枚のグランド板１０，１１にネジ止め固定されることで、グランド板１０，１１に電気的に接続されるグランド板固定部１４と、２枚のグランド板１０，１１のいずれか一方に接続ブロック１２を固定するための仮止め部１５と、を一体に形成して構成される。
【００３０】
本実施の形態では、グランド板１０，１１がアルミニウムからなり半田付けが困難であるため、ネジ止めにより接続ブロック１２をグランド板１０，１１に固定する。
【００３１】
ケーブル固定部１３は、直方体形状に形成され、その高さ方向および幅方向の中央部には、外部導体５を露出させた同軸ケーブル２の先端部を挿入するケーブル挿入穴１３ａが形成されている。ケーブル挿入穴１３ａは、ケーブル固定部１３を厚さ方向に貫通するように形成されている。なお、ここでいう高さ方向は、接続ブロック１２をグランド板１０，１１に取り付けた際のグランド板１０，１１の法線方向と一致し、厚さ方向は、接続ブロック１２からの同軸ケーブル２の延出方向と一致する。幅方向は、これら高さ方向および厚さ方向と垂直な方向である。
【００３２】
ケーブル固定部１３には、高さ方向の一方の面（図１（ａ）の上側の面）からケーブル挿入穴１３ａまで貫通するように、半田流入穴１３ｂが形成されている。同軸ケーブル２の先端部をケーブル挿入穴１３ａに挿入し、半田流入穴１３ｂからケーブル挿入穴１３ａに半田を流し込むことにより、同軸ケーブル２がケーブル固定部１３に半田固定され、外部導体５とケーブル固定部１３とが電気的に接続される。
【００３３】
なお、ケーブル固定部１３において同軸ケーブル２を固定する構造はこれに限定されるものではなく、例えば、ケーブル固定部１３にＵ字状の溝を形成し、その溝に同軸ケーブル２の先端部を挿入して半田付けする、といった構造としてもよい。
【００３４】
グランド板固定部１４は、ケーブル固定部１３と同じ厚さの直方体形状に形成され、ケーブル固定部１３から幅方向に延びるようにケーブル固定部１３と一体に形成されている。グランド板固定部１４は、２枚のグランド板１０，１１の間隔と同じ高さに形成され、２枚のグランド板１０，１１間に配置される。
【００３５】
本実施の形態では、同軸ケーブル２として外部導体５の外径が２枚のグランド板１０，１１の間隔よりも大きいものを用いているため、ケーブル固定部１３は、グランド板１０，１１の間隔よりも高く形成されることになる。ケーブル固定部１３とグランド板固定部１４は、その高さ方向の他方の面（図１（ａ）における下方の面）が一致するように形成されており、ケーブル固定部１３とグランド板固定部１４の高さ方向の一方の面（図１（ａ）における上方の面）間には段差が形成されている。
【００３６】
つまり、本実施の形態で用いる接続ブロック１２では、ケーブル固定部１３の高さ方向の一方の面（図１（ａ）における上方の面）が、グランド板固定部１４よりも突出し、グランド板固定部１４を２枚のグランド板１０，１１間に配置したときに、グランド板１０よりも突出する。よって、このケーブル固定部１３の突出部分を避けるために、一方のグランド板１０には、接続ブロック配置用切欠き１０ａが形成されている。このように構成することで、グランド板１０，１１間の間隔よりも太い同軸ケーブル２も使用可能となる。
【００３７】
図１（ｂ），（ｃ）に示すように、同軸ケーブル２の中心導体３は、トリプレート線路７の中心導体板８の一方の面に半田２０を用いて半田固定されることで、中心導体板８と電気的に接続される。この中心導体３と中心導体板８の半田固定部分と対向するグランド板１０には、接続ブロック配置用切欠き１０ａと連通する調整用切欠き１０ｂが形成されている。調整用切欠き１０ｂは、半田固定部分がグランド板１０に近づき過ぎて特性が悪化してしまうことを抑制すると共に、同軸ケーブル２とトリプレート線路７の接続部分におけるインピーダンスを調整する役割を果たすものである。
【００３８】
グランド板固定部１４の幅方向および厚さ方向の中央部には、固定用ネジ１６を通すためのネジ穴１４ａが形成されている。グランド板１０，１１間にグランド板固定部１４を挿入し、グランド板１０，１１とグランド板固定部１４を挟み込むように固定用ネジ１６によりネジ止め固定すると、グランド板１０，１１とグランド板固定部１４が固定されると共に、ネジ止めによる圧力でグランド板１０，１１とグランド板固定部１４が面接触して電気的に接続される。
【００３９】
ところで、接続ブロック１２のグランド板１０，１１と接触するグランド接触面を平面とした場合、加工精度が十分でないと、微少な浮き等が発生して特性劣化の原因となってしまう。そこで、本実施の形態では、接続ブロック１２のグランド接触面に、グランド板１０，１１との接触面積を小さし、ネジ締めによる面接触の圧力を高めるための凹凸を形成している。
【００４０】
本実施の形態では、グランド接触面は幅方向に長い長方形に形成されているが、その短辺方向の中央部に長辺方向に沿って凹溝１７を形成することで、グランド接触面に凹凸を形成している。このように構成することで、凹溝１７を挟んだ２つの面でグランド板固定部１４がグランド板１０，１１に接触することとなり、グランド板固定部１４を安定してかつ強固にグランド板１０，１１に固定し、安定した導通を実現することが可能になる。
【００４１】
仮止め部１５は、ケーブル固定部１３およびグランド板固定部１４と同じ厚さの直方体形状に形成され、グランド板固定部１４から幅方向に（ケーブル固定部１３と反対方向に）延びるように一体に形成されている。グランド板固定部１４の幅方向および厚さ方向の中央部には、固定用ネジ１８を通すためのネジ穴１５ａが形成されている。
【００４２】
本実施の形態では、グランド板固定部１４のネジ穴１４ａと、仮止め部１５のネジ穴１５ａの２箇所で接続ブロック１２をグランド板１０，１１に固定しているが、接続ブロック１２の回転を抑制し接続ブロック１２を強固に固定するために、接続ブロック１２をグランド板１０，１１に固定するネジ止め箇所は２箇所以上とすることが望ましい。
【００４３】
仮止め部１５を備えることで、同軸ケーブル２の中心導体３を中心導体板８に半田付けする際の位置ずれを抑制し、組立作業を容易に行うことが可能になる。また、グランド板１０を取り外す際にも接続ブロック１２がグランド板１１から外れなくなるので、メンテナンス等の作業を容易に行うことが可能になる。
【００４４】
本実施の形態では、仮止め部１５は、図１（ａ）における下方のグランド板１１に接続ブロック１２を固定するように構成されており、その高さ方向の他方の面（図１（ａ）における下方の面）が、ケーブル固定部１３およびグランド板固定部１４と一致するように形成されている。
【００４５】
また、グランド板固定部１４は、固定用ネジ１８の頭部をグランド板１０，１１間に収容できるように、グランド板固定部１４よりも高さが低く形成されている。そのため、接続ブロック１２は、全体として見ると、高さ方向の一方の面（図１（ａ）における上方の面）が、３段の階段状に形成されている。
【００４６】
本実施の形態では、ケーブル固定部１３とグランド板固定部１４と仮止め部１５の高さ方向の他方の面（図１（ａ）における下方の面）は、全てグランド板１１に接触するグランド接触面となるので、その全てにわたるように凹溝１７が形成されている。
【００４７】
本実施の形態で用いた接続ブロック１２の各部の寸法を図２（ｃ）に示す。なお、図２（ｃ）に示す寸法はあくまで一例であり、適宜変更可能である。
【００４８】
次に、同軸ケーブル２とトリプレート線路７を接続する手順を説明する。
【００４９】
本実施の形態に係る同軸ケーブルの接続構造１では、まず、同軸ケーブル２の先端部をケーブル固定部１３のケーブル挿入穴１３ａに挿入し、半田流入穴１３ｂからケーブル挿入穴１３ａに半田を流し込むことにより、同軸ケーブル２をケーブル固定部１３に半田固定し、外部導体５とケーブル固定部１３とを電気的に接続する。これにより、同軸ケーブル２の先端部に接続ブロック１２が固定された状態となる。
【００５０】
その後、グランド板１０を取り外した状態で、固定用ネジ１８によりグランド板１１に仮止め部１５を固定し、グランド板１１に対して接続ブロック１２を固定して同軸ケーブル２を仮止めする。同軸ケーブル２を仮止めした後、同軸ケーブル２の中心導体３を、トリプレート線路７の中心導体板８に半田２０を用いて半田付けする。
【００５１】
その後、グランド板１０を取り付けて、ケーブル固定部１３が接続ブロック配置用切欠き１０ａに、グランド板固定部１４が２枚のグランド板１０，１１間に配置された状態とし、固定用ネジ１６によりグランド板固定部１４を２枚のグランド板１０，１１にネジ止め固定する。
【００５２】
これにより、グランド板固定部１４と２枚のグランド板１０，１１とが面接触して電気的に接続され、同軸ケーブル２の外部導体５が、接続ブロック１２を介して２枚のグランド板１０，１１に電気的に接続される。以上により、本実施の形態に係る同軸ケーブルの接続構造１が得られる。
【００５３】
次に、本実施の形態に係るアンテナ装置を説明する。
【００５４】
図３および図４に示すように、アンテナ装置３１は、給電線路にトリプレート線路７を用いており、このトリプレート線路７と同軸ケーブル２との接続箇所に、本発明の同軸ケーブルの接続構造１を用いたものである。アンテナ装置３１では、トリプレート線路７の中心導体板８が給電線路（給電ライン）となり、各アンテナ素子３２に電気的に接続されている。アンテナ装置３１は、例えば、移動体通信用の基地局アンテナであり、図示していないが、その周囲はレドームにより覆われている。
【００５５】
アンテナ装置３１では、トリプレート線路７と同軸ケーブル２の接続箇所が２箇所設けられており、グランド板１０の両側に接続ブロック配置用切欠き１０ａを形成して、それぞれの箇所で、本発明の同軸ケーブルの接続構造１によりトリプレート線路７と同軸ケーブル２を接続している。
【００５６】
ここでは、一例として、十字状のアンテナ素子対３３を８つ備え、これらアンテナ素子対３３を鉛直方向に一直線状に配置した構造のアンテナ装置３１を示しているが、アンテナ素子３２やアンテナ素子対３３の形状や数など、アンテナ装置３１の構造はこれに限定されるものではない。
【００５７】
調整用切欠き１０ｂの同軸ケーブル２の延出方向に沿った長さ（図１（ｃ）の上下方向の長さ）を３ｍｍ、幅（図１（ｃ）の左右方向の長さ）を４ｍｍとし、接続ブロック１２の各寸法を図２（ｃ）のように設定した場合におけるアンテナ装置３１の同軸ケーブル接続部のＶＳＷＲ（電圧定在波比）特性は図５のようになる。なお、中心導体３の延出長は、中心導体板８との重なり長さが２ｍｍとなるように調整しており、調整用切欠き１０ｂの同軸ケーブル２の延出方向に沿った長さは、この重なり長に１ｍｍを加えた長さになっている。
【００５８】
基地局アンテナでは、同軸ケーブル接続部の使用周波数におけるＶＳＷＲが約１．１以下となることが求められるが、図５に示すように、アンテナ装置３１では、周波数２．５ＧＨｚ程度の帯域であってもＶＳＷＲが１．１以下となっており、広い帯域でインピーダンス整合をとることが可能である。また、１．５〜２．０ＧＨｚ程度の帯域においては、ＶＳＷＲが１．０５以下となっており、十分なインピーダンス整合をとることが可能である。
【００５９】
本実施の形態の作用を説明する。
【００６０】
本実施の形態に係る同軸ケーブルの接続構造１では、同軸ケーブル２の先端部が固定され、外部導体５と電気的に接続されるケーブル固定部１３と、２枚のグランド板１０，１１の間隔と同じ高さに形成され、２枚のグランド板１０，１１間に配置され２枚のグランド板１０，１１にネジ止め固定されることで、グランド板１０，１１に電気的に接続されるグランド板固定部１４と、を一体に形成した導電性の部材からなる接続ブロック１２を備え、同軸ケーブル２の先端部をケーブル固定部１３に固定すると共に、グランド板固定部１４を２枚のグランド板１０，１１間に配置して２枚のグランド板１０，１１にネジ止め固定することで、外部導体５を接続ブロック１２を介して２枚のグランド板１０，１１に電気的に接続するように構成している。
【００６１】
同軸ケーブルの接続構造１では、接続ブロック１２をネジ止め固定しているため、接続部の機械的強度が高く振動環境下で安定した接続を得ることが可能であり、またグランド板１０，１１がアルミニウムなど半田付けが困難な部材からなる場合であっても、安定した導通を得ることが可能になる。
【００６２】
また、同軸ケーブルの接続構造１では、同軸ケーブルコネクタなどの高価な部品を用いていないため、低コストである。
【００６３】
さらに、同軸ケーブル２を接続ブロック１２に半田固定して、接続ブロック１２をグランド板１０，１１にネジ止め固定するという簡易な工程で組立が可能であり、組立作業を容易に行うことが可能になる。
【００６４】
本発明は上記実施の形態に限定されるものではなく、本発明の趣旨を逸脱しない範囲で種々の変更を加え得ることは勿論である。
【００６５】
例えば、上記実施の形態では、グランド板１０，１１の間隔よりも径の大きい同軸ケーブル２を用いたために、ケーブル固定部１３をグランド板固定部１４よりも高く形成する必要があったが、グランド板１０，１１の間隔よりも径の小さい同軸ケーブル２を用いる場合には、図６（ａ）に示すように、ケーブル固定部１３を、グランド板固定部１４と同じ高さに形成するようにしてもよい。この場合、ケーブル固定部１３とグランド板固定部１４の両者が２枚のグランド板１０，１１に接触するように構成し、接続ブロック配置用切欠き１０ａを省略することが可能になる。
【００６６】
さらに、上記実施の形態では、仮止め部１５を１つ形成したが、図６（ｂ）に示すように、仮止め部１５を複数形成することも可能である。図６（ｂ）では、一例として、ケーブル固定部１３を幅方向から挟むように２つのグランド板固定部１４を設け、さらにケーブル固定部１３と２つのグランド板固定部１４を幅方向から挟むように２つの仮止め部１５を形成した場合を示しているが、ケーブル固定部１３、グランド板固定部１４、および仮止め部１５の位置関係や、グランド板固定部１４や仮止め部１５の数はこれに限定されるものではない。
【符号の説明】
【００６７】
１  同軸ケーブルの接続構造
２  同軸ケーブル
３  中心導体
４  絶縁体
５  外部導体
６  シース
７  トリプレート線路
８  中心導体板
９  空気層
１０，１１  グランド板
１２  接続ブロック
１３  ケーブル固定部
１４  グランド板固定部
１５  仮止め部
１６，１８  固定用ネジ
１７  凹溝
【図１】
2014225776.tif 000003
【図２】
2014225776.tif 000004
【図３】
2014225776.tif 000005
【図４】
2014225776.tif 000006
【図５】
2014225776.tif 000007
【図６】
2014225776.tif 000008